(57)【要約】【課題】    本発明は四つ足ペットを海や浴槽で浮かばせて、水に触れながら遊覧し、泳ぐことも可能となる、支持体及びペット用浮き具セットを提供する。【特許請求の範囲】
【請求項１】
任意の環状の浮き体と、該浮き体に着脱自在に取り付けられ、ペット等が四肢を挿入出来る四肢挿入部を有する支持体とよりなることを特徴とする、支持体及びペット用浮き具セット。
【請求項２】
浮き体と支持体が一体となっている、請求項１記載の、支持体及びペット用浮き具セット。
【請求項３】
ペット等が四肢を挿入出来る四肢挿入部を有する、支持体及びペット用浮き具セット。
【発明の詳細な説明】
【技術分野】
【０００１】    本発明は四つ足ペットを海や浴槽で浮かばせて、水に触れながら遊覧し、泳ぐことも可能となる、ペット用浮き具セットに関するものである。
【背景技術】
【０００２】    従来、内側の空間個所に膜部を有さない浮き輪と、膜部のある浮き輪又は膜部に幼児の両脚を差し込むための２カ所の穴を有する浮き輪がある。
【発明の開示】
【発明が解決しようとする課題】
【０００３】    そのために次のような問題点があった。
（イ）四つ足ペットにとって、人のように両腕を浮き輪にまわして、滑り落ちることなく泳ぐことは不可能に近かった。
（ロ）ゴムボートのような底面があるものは、足を動かせないので、泳ぎのサポート具にはならなかった。
（ハ）四つ足ペットにとって、脚を２本差し込めるだけでは不十分であった。
（ニ）小さなペットが波に負けるので、飼い主がハラハラしていた。
（ホ）泳げないペットは水に入れなかつた。
（ヘ）泳げるペットも、浴槽では人の手から離れて浮かんでいられなかった。
本発明はこれらの問題点を解決するためになされたものである。
【課題を解決するための手段】
【０００４】    任意の環状の浮き体と、該浮き体に着脱自在に取り付けられ、ペット等が四肢を挿入出来る四肢挿入部を有する支持体とよりなることを特徴とする。
【発明の効果】
【０００５】    泳ぎの苦手なペットや、小さくて波に負けるペットが、飼い主と共に遊覧出来、また泳ぎも楽しめるようになった。
飼い主が余裕を持って、小さなペットの水遊びを見守っていられるようになった。
四肢を挿入出来るため、浮き輪より落ちにくくなった。また四肢を自由に動かせるため、浮かぶだけでなく、泳ぎのサポートも出来るようになった。
浴槽では、人の手から離れても、ペットが安定して浮かんで居られるようになった。
【発明を実施するための最良の形態】
【０００６】    以下、本発明の実施の形態について説明する。
大きくはペットの脚部を差し込むための、差し込み部を有する支持体の形状について、帯体状と膜体状に分類する。かつ、小さくは着脱自在か一体で成るかについて、また差し込み部の数について分類する。
図１〜図９を用いて、４カ所に差し込み部を有する帯体状の支持体からなる形態について説明する。
図１〜図７を用いて、本発明の第１の形態を説明する。
図１ａは、ペットが支持体（１）を着用した浮き輪等の浮き体（３）の定位置についた場合の平面図、ｂは側面図である。脚部（４）を、浮き体内側で、帯体状の支持体によって生じた差し込み部（２）に差し込んでいる。図２ａは帯体状の支持体の平面図である。使用対象のペットの腹幅以内の幅を可能とする縦帯体と、前後脚部間の幅以内の幅を可能とする横帯体の２本が、中間部で交叉し、この接触個所（６）を縫合または接着して固定する。次にｂのように浮き体の中心部に接触個所を合わせる。縦横帯体を浮き体の反対面側まで回した後に、それぞれ端部（５）同士を結び合わせる。４端部を同時に結び合わせてもよい。図３はこの時の表面を示すが、４カ所に差し込み部が現れている。差し込み部の広さは使用対象のペットの脚部が無理なく入り、しかも前後運動が可能な広さとする。ここで述べた差し込み部の条件は以下に通じる。
使い方を図１，図４で示す。
表面を上側にし、選んだ方向にペットの頭部を向け、脚部を対応する個所の差し込み部へ差し込む。図１ａは使用中の平面図、ｂは側面図である。図４は図３Ａ−Ａ′の断面にペットを当てはめた図である。海にあるいは浴槽に浸けた時の水面位置をラインで示した。当使い方については以下に通じる。着脱自在の形態の場合は市販されている既存の浮き体も対象とする。これは以下に通じる。
図５で支持体それ自体が固定用の補助具を有する場合を説明する。
横帯体はズボン用のベルトに類似する。以後、当ベルトに類似する場合をベルト（７）と称す。縦帯体に面ファスナー（８）を両端の表裏に設ける。この２本を十文字状に交叉し接触個所で接合し、差し込み部が生じている。ａは２本を十文字状に縫合した図、ｂはこれを浮き体にセットした裏面側の図である。セットの際には先ず縦帯体で止め、次にベルトでしっかり固定する。縛り方の加減で、浮き輪の場合、ペットの体型に合った、楕円形にすることも出来る。縦横共に同じ固定機能を有しても構わない。【０００７】    図６、図７を用いて、支持体と浮き体が互いに固定し合う場合を説明する。
図６ａのように十文字状の支持体（１）端部に、鳩目やスナップ類の雌又は雌の留め具（９）を設ける。ｂのように浮き体（３）の内側に添って縫合又は接着で接合部（１０）を設け、これにａと対となる留め具を４個以上の偶数で設ける。尚、浮き輪の場合は製作過程で接合余部を有することがあり、これが人用のため内側には設けられていない。この接合余部をここでは内側に設けてこれを接合体の代用とし図示した。図７は帯体状の支持体端部と浮き体の対応する留め具を、留め合わせてセットした図である。接合部がない場合は後述する。【０００８】    図８、図９を用いて、浮き体と支持体が一体となっている、本発明の第２の形態を説明する。
図８は十文字状に作成したゴム等の伸縮性のある、又は必要なたるみを有する支持体（１）を、浮き体（３）に接着する例で、ａは支持体を浮き体の片面側に載せて、端部（５）に接着剤塗布部（１１）を設け接合した、ｂは浮き体を巻いて支持体同士で接着又は縫合による接合を行い、差し込み部（２）が生じた図である。
図９は、帯体状の支持体端部と接合部（１０）を、接着または縫合によって接合した、あるいは一体成型した平面図である。誘導紐（１２）について当図では別に用意してセットしているが、その取り付け個所として従来の浮き体が有する接合余部内の穴を利用する等、浮き体側にあってもよい。浮き輪の場合には空気孔（１３）を有する。これまで接合余部を外側に残し、内側に別に接合部を設けた形状で図示したが、以後の説明には接合余部を図示しない場合がある。また、十文字状で説明をしてきたが、ペットの体型に合わせ、帯体の数が増えてもよい。これは以下の帯体状の形態に通じる。【０００９】    図１０〜図２８を用いて、４カ所に差し込み部を有する膜体状の支持体からなる形態について説明する。
図１０〜図２０を用いて第３の形態について、説明する。
対象とする浮き体の内側の空間個所の大きさに合う膜体状の支持体に、穴を設けることで、４カ所の差し込み部を設ける場合である。穴の形状は前記差し込み部の条件に加え、円、楕円あるいは前記帯体状の支持部で生じた差し込み部の扇型でも、又それぞれの穴の内側に波形等を有していてもこれらの形状は問わない。これは以下に通じる。
図１０を説明する。
円形の生地を縁取り部を設ける等して整えた、膜体状の支持体（１）を用意する。これに左右対称の位置に差し込み部（２）として、２対の穴を設ける。また穴の間隔はペットの脚部の位置に合わせるため、腹幅の方を両脚部間側より長くとることになる。
図１１〜図１８で、前記図６、図７で述べた、内側に接合部ないしは接合余部を有する場合に対し、有さない場合の浮き体に対し、支持体をセットする方法を説明する。
図１１、図１２を説明する。図１１ａは紐や結束体の結束部（１４）を、支持体の面が目の粗いメッシュ生地の場合にこの目に通した図である。通して結んで浮き体（３）と結合する。ｂはベルト（７）または面ファスナーを付着した結束具が通り抜ける、通し穴（１５）を支持部内を切り開いて設け、又は支持体縁に別に付けて、浮き体と結合した図である。図１２は使用図である。【００１０】    図１３〜図２０を用いて、支持体の延長個所に固定機能を持たせる形態を説明する。
図１３〜図１６で、支持体の一部を延長して結束部を設ける場合を説明する。
図１３は第１の形態の帯体状の支持体（１）を用意し、これを延長して結束部（１４）とする。これに膜体状の支持体を合わせ、ａのように二種の支持部の接触個所（６）を縫合または接着する。結束部に添って接合を延長してもよい。  ｂは浮き体（３）にセットした時の、表側の平面図である。
図１４は支持体の周囲端部を帯体状に、浮き体をくるむ長さに延長し、結束部を設けた場合である。結束部の直線となる２端部の一方に固定用のステイック（１６）を取り付け、他端にはこれを差し込める通し穴（１５）を設ける。セットの仕方は図１５、図１６のように、結束部を浮き体に巻き付け、互いに両端部が接触したところで、ステイックを通し穴に差し込んで接合する。支持部の径が浮き体の内側の空間個所の径を越えた場合は、図１５の平面図のように、浮き体上に支持体を載せた状態にセットされる。通し穴とステイックの個所を留め具に替えてもよい。
図１７、図１８で支持体全体を延長して、折り返し可能な面状の結束部を設ける場合を説明する。
図１７は膜体状の支持体の同生地を、浮き体を包装出来る長さまで広げ、周囲にゴム製等の紐（１７）を通したり、端部をシャーリング等でギャザー状にして、結束部を設ける。図１８ａは出来上がりの裏側の平面図、ｂはセット中の斜視図である。【００１１】    図１９、図２０を用いて、支持体を留め具で接合する形態について説明する。
前記図６、図７に類似した方法で、図１９ａは浮き体の内側の接合部（１０）に留め具（９）を設けた平面図、ｂは支持体（１）の周囲に留め具を設けた平面図、図２０は留め具を留め合わせセットを終えた平面図である。【００１２】    図２１〜図２３を用いて、浮き体と支持体が一体となっている、本発明の第４の形態について説明する。
図２１、図２２で浮き体全体を包装して作成する場合を説明する。
図２１は浮き体（３）を、支持体（１）と結束部（１４）からなる生地２枚ではさもうとしている状態である。図２２はこれを成形した平面図である。接触個所（６）が生じる。端部側周囲の接触個所を縫合する。ここにファスナーを設ければ着脱自在となる。差し込み部（２）の縁や支持体と結束部の境界も縫合する方がよい。
図２３は、浮き体内側の接合部（１０）に支持部周囲を接合した平面図である。誘導紐（１２）を浮き体の端部に設けてもよい。浮き輪の場合には空気孔（１３）を有する。【００１３】    図２４〜図２６を用いて、第５の形態として、膜体状の差し込み部の種類について補足する。
まず図２４、図２５を用いて、支持体に切り込みを入れ、ここを押し開く時に差し込み部となる形態について説明する。
図２４ａは、支持体（１）にペットの脚部に対応する位置に、切り込み（１８）を放射状に入れた生地の平面図、ｂはａの円内の拡大図で、切り込み片（１９）ないしは差し込み部（２）が生じている。図２５は使用図で、切り込み片が脚部（６）上部に添っている。
図２６を用いて、凹み状の差し込み部として、脚キャップ部を設けた形態について説明する。足の裏に抵抗感がないことによる不安を解消するものである。
ａは前記切り込み片を延長し、靴下状に形成した、脚キャップ部（２０）の拡大図、ｂはこの使用図である。【００１４】    図２７、図２８を用いて、ゴムボート類の底面部を支持体として捉えた場合の、本発明の第６の形態を説明する。全体の形状が流線型の場合の平面図である。
図２７は浮き体（３）内の支持体（１）に差し込み部（２）を４カ所に設ける。他に水はけのための、水掃け穴（２１）を材質的に問題の生じない範囲で設けてもよい。図２８ａは前記図２４、図２５のように切り込みで差し込み部を設けた場合、ｂは前記図２６のように凹み状で差し込み部を設けた場合である。ｂの形態の場合は差し込み部用の穴を有する支持体と、前記、図２６のようなメッシュ生地の脚キャップ部（２０）を用意して、脚キャップ部上端部を支持体に接合する。【００１５】    次に、図２９、図３０を用いて、これまで４カ所の差し込み部について説明してきたが、これ以外の場合の、本発明の第７の実施の形態を説明する。ここでは図７、図９に類似する帯体状の支持体を図示するが、膜体状の場合でも同数の差し込み部の成型は可能である。
図２９ａは差し込み部（２）を３カ所に有する場合で、Ｔ状の帯体状の支持体（１）端部と浮き体（３）に接合部（１０）と留め具（９）を設け接合、または一体成型することで設ける。ペットの前脚を１カ所に、後脚を差し込み部の２個所に差し込んで使用する。ｂは差し込み部を２カ所に有する場合で、Ｉ状の帯体状の支持体を有し、前脚、後脚側共にそれぞれ１カ所に２本づつ差し込む。図３０ａはＴ状の、ｂはＩ状の二重状の支持体を接触個所（６）で接合したものを浮き体に着用した斜視図である。【００１６】    図３１〜図３４を用いて、その他の装飾部等について説明する。
図３１、図３２を用いて、危険回避等を目的とする補助部について説明する。
図３１は浮き体（３）の側面側を高く設け、かつ紐（１７）を浮き体とペットの足首にとりつけて繋いだ使用図で、落ちにくく、ペットが大波で浮き体から外れるようなことがあっても、ペットを簡単に見つけることが出来る。図３２は落下防止の保護帯（２２）を設けたもので、浮き体内側からペットの背部上方を通り、対辺の内側へ渡して設けた。尾鰭部（２３）は泳ぎ易くする目的やデザインのおもしろさを表現したもので、支持体（１）の端部や浮き体の裏側に接合する。
図３３は日除けカバー（２４）を設けた例である。作り方は前記保護帯同様の方法で成型可能である。着脱自在ならば、これを取り外して逆に向け支持体上に敷いて、穴を塞ぐことも可能で、ここにペットは寝転がるような使い方も出来る。
図３４はペットの前脚を浮き体上に載せて遊覧する場合の使用図である。
その他、ペットと人間が浮き体を繋ぎあって海に浮かべられるように、あるいは子供とペットが一緒にいるために繋ぎあうことが出来るようにするには、ベルトや紐を利用して、または面フアァスナーを浮き体の外側に取り付ける等で、並列させたりする。
【図面の簡単な説明】
【００１７】
【図１】    本発明の第１の形態の使用図である。
【図２】    本発明の第１の形態の平面図である。
【図３】    本発明の第１の形態の平面図である。
【図４】    本発明の第１の形態の使用中の断面図である。
【図５】    本発明の第１の形態の平面図である。
【図６】    本発明の第１の形態の平面図である。
【図７】    本発明の第１の形態の平面図である。
【図８】    本発明の第２の形態の平面図である。
【図９】    本発明の第２の形態の平面図である。
【図１０】    本発明の第３の形態の平面図である。
【図１１】    本発明の第３の形態のセット中の図である。
【図１２】    本発明の第３の形態の使用図である。
【図１３】    本発明の第３の形態の平面図である。
【図１４】    本発明の第３の形態の平面図である。
【図１５】    本発明の第３の形態の平面図である。
【図１６】    本発明の第３の形態のセット中の図である。
【図１７】    本発明の第３の形態の作成中の図である。
【図１８】    本発明の第３の形態のセット中の図である。
【図１９】    本発明の第３の形態の平面図である。
【図２０】    本発明の第３の形態の平面図である。
【図２１】    本発明の第４の形態の製作中の図である。
【図２２】    本発明の第４の形態の平面図である。
【図２３】    本発明の第４の形態の平面図である。
【図２４】    本発明の第４の形態の平面図である。
【図２５】    本発明の第５の形態の使用図である。
【図２６】    本発明の第５の形態の拡大断面図と使用図である。
【図２７】    本発明の第６の形態の平面図である。
【図２８】    本発明の第６の形態の平面図である。
【図２９】    本発明の第７の形態の平面図である。
【図３０】    本発明の第７の形態の平面図である。
【図３１】    本発明の使用図である。
【図３２】    本発明の使用図である。
【図３３】    本発明の使用図である。
【図３４】    本発明の使用図である。
【符号の説明】
【００１８】    １  支持体                ２  差し込み部            ３  浮き体
４  脚部                  ５  端部                  ６  接触個所
７  ベルト                ８  面ファスナー          ９  留め具
１０  接合部              １１  接着剤塗布部        １２  誘導紐
１３  空気孔              １４  結束部              １５  通し穴
１６  スティック          １７  紐                  １８  切り込み
１９  切り込み片          ２０  脚キャップ部        ２１  水掃け穴
２２  安全帯              ２３  尾鰭部              ２４  日除けカバー
【図１】
2008061635.tif 000002
【図２】
2008061635.tif 000003
【図３】
2008061635.tif 000004
【図４】
2008061635.tif 000005
【図５】
2008061635.tif 000006
【図６】
2008061635.tif 000007
【図７】
2008061635.tif 000008
【図８】
2008061635.tif 000009
【図９】
2008061635.tif 000010
【図１０】
2008061635.tif 000011
【図１１】
2008061635.tif 000012
【図１２】
2008061635.tif 000013
【図１３】
2008061635.tif 000014
【図１４】
2008061635.tif 000015
【図１５】
2008061635.tif 000016
【図１６】
2008061635.tif 000017
【図１７】
2008061635.tif 000018
【図１８】
2008061635.tif 000019
【図１９】
2008061635.tif 000020
【図２０】
2008061635.tif 000021
【図２１】
2008061635.tif 000022
【図２２】
2008061635.tif 000023
【図２３】
2008061635.tif 000024
【図２４】
2008061635.tif 000025
【図２５】
2008061635.tif 000026
【図２６】
2008061635.tif 000027
【図２７】
2008061635.tif 000028
【図２８】
2008061635.tif 000029
【図２９】
2008061635.tif 000030
【図３０】
2008061635.tif 000031
【図３１】
2008061635.tif 000032
【図３２】
2008061635.tif 000033
【図３３】
2008061635.tif 000034
【図３４】
2008061635.tif 000035